(57)【特許請求の範囲】
【請求項１】
プラズマによるＸ線照射装置における飛散物除去方法であって、パルス状プラズマによりＸ線を発生させ、該Ｘ線及び該Ｘ線と同時に発生した飛散物が試料に向かって通過する所定の場所において、該Ｘ線が通過した後、該Ｘ線に後続する該飛散物が飛来した時に、該飛散物と該飛散物除去用パルス状プラズマにより生成した飛散物を衝突させることにより、該Ｘ線に後続する飛散物の軌道を変更し、該Ｘ線に後続する飛散物が試料に到達しないようにしたことを特徴とするプラズマによるＸ線照射装置における飛散物除去方法。
【請求項２】
請求項１に記載のＸ線照射装置における飛散物除去方法において、上記Ｘ線を発生させるプラズマは、レーザー生成プラズマ、ピンチプラズマ又は細管に閉じ込められた放電プラズマであることを特徴とするＸ線照射装置における飛散物除去方法。
【請求項３】
請求項１又は２に記載のＸ線照射装置における飛散物除去方法において、上記飛散物除去用プラズマは、レーザー生成プラズマであることを特徴とするＸ線照射装置における飛散物除去方法。
【請求項４】
プラズマによるＸ線照射装置における飛散物除去装置であって、パルス状プラズマによりＸ線を発生させ、該Ｘ線及び該Ｘ線と同時に発生した飛散物が試料に向かって通過する所定の場所において、該Ｘ線が通過した後、該Ｘ線に後続する該飛散物が飛来した時に、該飛散物と該飛散物除去用パルス状プラズマにより生成した飛散物を衝突させることにより、該Ｘ線に後続する飛散物の軌道を変更し、該Ｘ線に後続する飛散物が試料に到達しないようにしたことを特徴とするプラズマによるＸ線照射装置における飛散物除去装置。
【請求項５】
請求項４に記載のＸ線照射装置における飛散物除去装置において、上記Ｘ線を発生させるプラズマは、レーザー生成プラズマ、ピンチプラズマ又は細管に閉じ込められた放電プラズマであることを特徴とするＸ線照射装置における飛散物除去装置。
【請求項６】
請求項４又は５に記載のＸ線照射装置における飛散物除去装置において、上記飛散物除去用プラズマは、レーザー生成プラズマであることを特徴とするＸ線照射装置における飛散物除去装置。
【請求項７】
請求項６に記載のＸ線照射装置における飛散物除去装置において、上記飛散物除去用プラズマを生成するための標的は、Si、Ar、Zn、Ga、Kr、Mo、In、Sn、Xe、Pb若しくはHg又はそれらを主成分とした化合物であることを特徴とするＸ線照射装置における飛散物除去装置。
【請求項８】
請求項５から７のいずれかに記載のＸ線照射装置における飛散物除去装置において、上記Ｘ線を発生させるレーザー生成プラズマを生成するための標的は、B、C、Al、Cu、Xe若しくはSn又はそれらを主成分とした化合物であることを特徴とするＸ線照射装置における飛散物除去装置。
【請求項９】
請求項５に記載のＸ線照射装置における飛散物除去装置において、上記Ｘ線を発生させるピンチプラズマを構成する物質としてXeを用いたことを特徴とするＸ線照射装置における飛散物除去装置。
【請求項１０】
請求項６に記載のＸ線照射装置における飛散物除去装置において、レーザー光線を標的上に点状に集光することにより、上記飛散物除去用プラズマを形成することを特徴とするＸ線照射装置における飛散物除去装置。
【請求項１１】
請求項６に記載のＸ線照射装置における飛散物除去装置において、レーザー光線を標的上に線状に集光することにより、上記飛散物除去用プラズマを形成することを特徴とするＸ線照射装置における飛散物除去装置。
【請求項１２】
請求項４から１１のいずれかに記載のＸ線照射装置における飛散物除去装置において、上記飛散物除去用プラズマを発生させるためのレーザー照射標的の面を傾斜させることにより、上記飛散物除去用プラズマからの飛散物がＸ線被照射物への立体角に入らないように設定されていることを特徴とするＸ線照射装置における飛散物除去装置。
【請求項１３】
請求項４から１１のいずれかに記載のＸ線源の飛散物除去装置において、上記飛散物除去用プラズマとＸ線被照射物との間に遮蔽物を設けることにより、上記飛散物除去用プラズマからの飛散物がＸ線被照射物への立体角に入らないように設定されていることを特徴とするＸ線照射装置における飛散物除去装置。
【請求項１４】
請求項４から１３のいずれかに記載のＸ線照射装置における飛散物除去装置において、Ｘ線源から放射状に延びる面を形成する隔壁を構成し、Ｘ線の立体角は隔壁の厚み以外に損失がない構造とし、上記飛散物は、上記飛散物除去用プラズマと衝突後、該隔壁と衝突し、Ｘ線光学鏡に到達しない構造としたことを特徴とするＸ線照射装置における飛散物除去装置。
【請求項１５】
請求項１４に記載のＸ線照射装置における飛散物除去装置において、上記隔壁は、上記プラズマＸ線源を頂点とした複数の円錐の側面又は複数の多角錘の側面を重ね合わせた構造としたことを特徴とするＸ線照射装置における飛散物除去装置。
【発明の詳細な説明】
【０００１】
【発明の属する技術分野】
本願発明は、プラズマＸ線源を用いて、真空紫外から軟Ｘ線に至るまでのＸ線（本願明細書においては、単に「Ｘ線」という。）を利用する技術分野に関するものである。例えば、プラズマＸ線源を利用したEUVリソグラフィー装置及びＸ線光電子分光装置等がこれに該当する。
【０００２】
【従来の技術】
プラズマＸ線源は、小型、高輝度、高繰り返し動作、高Ｘ線までの高エネルギーＸ線を輻射できるなど優れた特徴を有している。しかし、プラズマ生成に対して避けることができないプラズマからの飛散物、レーザー照射における照射標的材からの飛散物、放電プラズマにおける電極材料からの飛散物等がＸ線輻射と同時に生成され、Ｘ線光学鏡に付着、注入され蒸着、損傷による性能の劣化を引き起こしている。また、Ｘ線を用いた分析装置では試料組成の変化を引き起こす。
【０００３】
この飛散物を除去するため、従来から物質と衝突させ減少させる方法が考案されている。例えば、特開平９―３２０７９２「Ｘ線発生装置」においては、飛散物をＸ線吸収率の低いガスに衝突させることにより、飛散物の除去を行っている。この場合、ガスは、線源と被Ｘ線照射物の間に存在するため、Ｘ線自身も吸収されることになり、その線量が低下している。ガスをジェット状にして高速に吹き出すシャッターにする方法も考案されているが、プラズマからの高速飛散物とガスの膨張速度が数桁異なることから実用的な高速シャッターとはなり得ない。
【０００４】
また、極薄膜のフィルターにより飛散物を除去する方法が考案されている。この方法は、ガス同様にＸ線の吸収が生じるため、Ｘ線の性能を著しく損なうものである。
【０００５】
このように従来の衝突による飛散物除去の方式においては、Ｘ線の性能を落とさず、飛散物の除去ができる方式は存在していない。
【０００６】
【発明が解決しようとする課題】
プラズマＸ線源における高速飛散物を除去する方法として、Ｘ線吸収率の低いガス又はフィルターをＸ線源とＸ線光学系の間に配置する方法が公知であるが、この方法は、飛散物を除去することはできるが、同時にＸ線もある程度吸収することになる。そして、飛散物をより多く除去するためには、衝突する媒質は厚く、高密度状態が要求されるが、それにつれて、Ｘ線の吸収は大きくなり、Ｘ線強度も低下する。本願発明の目的は、Ｘ線の強度を損なうことなく、飛散物を除去することである。
【０００７】
【課題を解決するための手段】
標的にレーザーを照射することにより生成したプラズマ（この明細書においては「レーザー生成プラズマ」という。）、ピンチプラズマ又は細管に閉じ込められた放電プラズマからの飛散物は、レーザー生成プラズマ自身を飛散物の被衝突物質として選ぶことにより、有効に除去することができる。Ｘ線源プラズマからの飛散物も飛散物除去用のプラズマからの飛散物も、共にプラズマにより生成される飛散物であり、同程度の速度であるので、飛散物除去用のレーザー生成プラズマは、高速度シャッターとして機能する。また、Ｘ線のパルス幅は、非常に短く、Ｘ線の速度は、飛散物に比べ圧倒的に速いため、Ｘ線は、上記高速度シャッターが動作する前に完全に透過し、減衰することは全くない。
【０００８】
【作用】
本願発明においては、プラズマＸ線源からのＸ線の強度を全く損なうことなく、飛散物の中で、最も問題となる高速飛散物を他のプラズマとの衝突により除去することができる。このため、Ｘ線光学鏡の長寿命化が実現でき、非常に高額なＸ線光学鏡に費やす費用を減額することができると共に、Ｘ線源におけるＸ線光学系の複雑な光学設定の回数が減少され、長寿命化以上の効果を引き出すことができる。また、Ｘ線を用いた分析装置においては、長時間のＸ線照射に伴い発生する飛散物による組成変化が無視できる機構を実現することができる。
【０００９】
【実施の態様】
Ｘ線照射装置としては、微少領域照射装置と広立体角照射装置が考えられる。微少領域照射装置の概要を図１に示し、広立体角照射装置の概要を図２に示す。
【００１０】
プラズマＸ線源は、レーザー生成プラズマ、ピンチプラズマ又は細管に閉じ込められた放電プラズマである。Ｘ線生成用のレーザーとしては、短波長で高繰り返し動作が可能な、高出力レーザーが用いられる。例えば、ＹＡＧレーザー（２倍波、３倍波を含む。）、ＫｒＦレーザー及びＴｉサファイアレーザー等が対象となる。パルス幅は、１０ｎｓ〜３００ｎｓ位のＹＡＧレーザー、数１０ｎｓ位のＫｒＦレーザー、１ｐｓ以下又は圧縮しない数１００ｐｓ程度のＴｉサファイアレーザーが考えられる。また、パルス間隔は、高繰り返し動作が念頭にあるので、数10kHzを最高として10Hz位までが対象である。従って、最小の間隔は、数10msである。
レーザー生成プラズマにおけるＸ線源の標的にはＸ線光学鏡として高反射率が得られる波長を輻射するAl、Xe、Snが候補として考えられる。また多層膜が製作可能で狭帯域の大きな遷移確率のスペクトル線が存在するB、C、Al、Cuも用いることが出来る。また、上記元素を主成分とする化合物も用いることができる。一方、ピンチプラズマにおけるＸ線光源にはXeガスが用いられる。
また、飛散物制御プラズマ用標的には、Siの他、Ar、Zn、Ga、Kr、Mo、In、Sn、Xe、Pb若しくはHg及びそれらを主成分とする化合物を用いることができる。広立体角の照射装置の場合には、固体のSn又は固体若しくは液体のXeが好ましい。
【００１１】
飛散物抑制用プラズマの方は、特に指定しないが、Ｘ線がリソグラフィーに使用される場合には、プラズマＸ線源の標的として、Sn、 Xeが候補なので、抑制用にも同じ物質の方が制御しやすい。また、飛散物が付着した場合には、融点及び沸点が低い物質、蒸気圧が高い物質Zn等が剥離しやすい物質である。さらに、直ちに気化することを考慮すると、In、
Hg、 Ga等の低融点物質も候補である。希ガスは、当然、直ちに気化して化合しないので、最も有望な候補であるが、密度を高めるために液体、固体の状態にする必要があるのと、衝突に対して軽いガスではSnの様な重い元素の飛散物の軌道を変えるのは困難である。その意味においても、吸収率の低いKr又は線源にも使われるXe等が候補である。
【００１２】
【実施例１】
実施例１として、微少な領域にＸ線照射を行う場合を以下に示す。図１において、１は、Ｘ線源生成用パルスレーザーであり、ＹＡＧレーザーを用いた。２は、該パルスレーザーをプラズマＸ線源用標的３（標的はＳｎ）に照射した際に発生するプラズマＸ線源である。５は、飛散物除去用プラズマ生成用パルスレーザーであり、１と同じくＹＡＧレーザーを用いた。勿論これらのレーザーは、その他のレーザーであってもかまわない。７は、飛散物除去用プラズマのための標的であり、Snを用いた。
図１に示すように、パルスレーザーを標的に照射してプラズマＸ線源を発生させる方式において、微少領域の試料にＸ線を照射させる場合、Ｘ線源からのＸ線は照射領域設定用窓を通過して試料に照射される。この時、同時にＸ線源プラズマにおいて発生する飛散物は、飛散物除去用プラズマと衝突しＸ線光の軌道から分離されるため、衝突領域設定用窓より進入して試料を汚染、破壊することはない。
また、飛散物除去用のプラズマからの飛散物は標的の照射点が照射領域設定窓から幾何学的に見えないよう傾斜するか、遮蔽物で覆われている構造となっている。このため、飛散物除去用プラズマからの飛散物は直接試料に到達することはない。
【００１３】
Ｘ線源プラズマから制御用のプラズマまで60mm程度（もっと短い距離でも十分である。）、検出器まで160mm程度の配置で実験を行ったところ、高速の成分の飛散物（Ｘ線源プラズマからの多価イオン）は１％以下程度に抑制することができた。除去用プラズマを遠くに設置し遠方にて高速飛散物と衝突させるに連れ、その効果はやや弱まる傾向にあるが、10mmまでの配置においても十分な減衰効果が得られた。
【００１４】
【実施例２】
次に、広立体角にＸ線照射を行う場合を説明する。
図２において、Ｘ線生成用パルスレーザー２をプラズマＸ線源用標的３に照射しプラズマＸ線源を生成する。そのＸ線は、隔壁９の間隙をとおりＸ線光学鏡１０に到達し、反射される。その際、飛散物除去用プラズマ生成用パルスレーザー５からのレーザー光は、シリンドリカルレンズにより線状に収束され、飛散物除去用プラズマのための標的３に照射される。その結果、該標的からは、線状の飛散物除去用プラズマが生成される。
言い換えると、図２に示すように、パルスレーザーを標的に照射してプラズマＸ線源を発生させる方式において、広立体角で輻射するＸ線光をＸ線光学鏡で反射する場合、Ｘ線源から輻射したＸ線は、プラズマが存在する位置から放射状に延長する面に形成される隔壁の隙間を通過しＸ線光学鏡を照射しその後反射される。つまり、Ｘ線は、壁の厚みが無視できるなら100%捕らえることが出来る構造である。一方、軌道を曲げられた飛散物は、該隔壁に衝突し、捕らえられるか、さらに弾かれ別の壁に当たる仕組みである。その構造に基本的に該当するのは、図２に示すような複数の扇状の隔壁である。勿論、円錐、三角錐、四角錐、六角錘でハニカム状に積み重ねる構造であってもよい。また、大きな錐体の中に順々に小さな錐体を入れ子状にはめ込んだものでもよい。
【００１５】
Ｘ線と同時にＸ線源プラズマから発生する飛散物は、図２に示すように、四方に放出される。この放出された飛散物を広立体角で除去できるように、飛散物除去用のレーザーは、線状に集光され標的に照射される。プラズマは、主として、標的の法線方向に膨張するため、線状方向の軸とプラズマの膨張方向の軸とで形成される面状に生成する。このため、該面状に膨張生成したプラズマは、Ｘ線源とＸ線光学鏡の中心を結ぶ線に垂直であり、中心の隔壁と垂直であることが好ましい。
【００１６】
このような構成にすると、飛散物除去用プラズマと衝突した飛散物は、Ｘ線の照射される軌道とは異なった軌道に進行を変更され、Ｘ線光学鏡の前に設けられた隔壁に複数回衝突し、隔壁に付着もしくは注入されることになる。したがって、該高速飛散物は、Ｘ線光学鏡に到達することはなく、該光学鏡を汚染することはない。
【００１７】
【発明の効果】
本願発明によれば、プラズマＸ線源よりＸ線と同時に発生した高速飛散物を別のレーザー生成プラズマと衝突させることで、高速なシャッターを実現し、全く損失のないＸ線強度を得られるだけでなく、この高速飛散物の軌道を衝突によりＸ線と分離することで微少な被Ｘ線照射試料への組成変化を行うことなく長時間のＸ線露光が可能となる。
さらに、Ｘ線源からの立体角を減じないような構成の隔壁と組み合わせることにより広立体角でのＸ線捕集においてもプラズマＸ線源からの高速飛散物を除去することが可能である。
【図面の簡単な説明】
【図１】  微小領域Ｘ線照射装置の模式図
【図２】  広立体角Ｘ線照射装置の模式図
【符号の説明】
１  Ｘ線源発生用パルスレーザー
２  プラズマＸ線源
３  プラズマＸ線源用標的
４  照射領域設定用窓
５  飛散物除去用プラズマ生成用パルスレーザー
６  飛散物除去用プラズマ
７  飛散物除去用プラズマ用標的
８  被Ｘ線照射用試料
９  隔壁
１０Ｘ線光学鏡
【図１】
0003790814.tif 000002
【図２】
0003790814.tif 000003